(57)【要約】【課題】テレビジョン受像機において、複数のテレビ番組の画像を一括して表示できる機能を小型かつ安価な構成によって実現する。【解決手段】テレビジョン受像機は、複数のワンセグチューナでテレビ放送を受信し（＃２）、複数のテレビ番組の画像を配列した複数番組画像を表示する（＃３）。このとき、前回視聴終了時にデジタルチューナで受信していたチャンネルのテレビ番組の画像上にカーソル画像を表示し（＃４）、カーソル画像で選択されているテレビ番組の音声を出力する（＃５）。番組選択操作がなされると（＃６でＹＥＳ）、選択されたテレビ番組の画像上にカーソル画像を移動させ（＃７）、カーソル画像で選択されているテレビ番組の音声を出力する（＃８）。視聴番組決定操作がなされると（＃９でＹＥＳ）、決定されたテレビ番組のテレビ放送をデジタルチューナで受信し（＃１０）、そのテレビ番組の画像を複数番組画像に代えて表示する（＃１１）。【選択図】図４
2008294912.tif 000002
【特許請求の範囲】
【請求項１】
放送局から配信される地上デジタルテレビ放送を受信して、前記地上デジタルテレビ放送に基く画像をディスプレイに表示すると共に、前記地上デジタルテレビ放送に基く音声をスピーカから出力するテレビジョン受像機において、
前記地上デジタルテレビ放送を受信して、前記地上デジタルテレビ放送に基くテレビ番組のハイビジョン放送用の画像信号及び音声信号を生成するデジタルチューナと、
前記地上デジタルテレビ放送を受信して、前記地上デジタルテレビ放送に基くテレビ番組のワンセグメント放送用の画像信号及び音声信号を生成する複数のワンセグチューナと、
前記複数のワンセグチューナにより生成されたワンセグメント放送用の画像信号に基いて、複数の異なるテレビ番組のワンセグメント放送による画像を配列した複数番組画像を前記ディスプレイに表示する複数番組表示手段と、
前記デジタルチューナにより生成されたハイビジョン放送用の画像信号に基いて、テレビ番組のハイビジョン放送による画像であるハイビジョン画像を前記ディスプレイに表示するハイビジョン表示手段と、
を備えることを特徴とするテレビジョン受像機。
【請求項２】
本装置の動作を指示するためにユーザにより操作される操作手段と、
前記複数のワンセグチューナにより生成されたワンセグメント放送用の音声信号に基いて、テレビ番組の音声を前記スピーカから出力する番組音声出力手段と、をさらに備え、
前記複数番組表示手段は、前記複数番組画像のうちの１つの画像として、前記ディスプレイに表示されている複数のテレビ番組の中から所望のテレビ番組を選択させるために用いる番組選択画像を表示し、該番組選択画像を前記ディスプレイに表示されている複数のテレビ番組の中のいずれの番組が選択されているかをユーザに判別可能な形態で表示し、
前記音声出力手段は、前記複数番組表示手段により前記複数番組画像を前記ディスプレイに表示しているとき、前記番組選択画像を用いて選択されているテレビ番組の音声を前記スピーカから出力し、
前記ハイビジョン表示手段は、前記複数番組表示手段により前記複数番組画像を前記ディスプレイに表示しているときに前記操作手段により視聴するテレビ番組を決定する視聴番組決定操作がなされると、前記視聴番組決定操作により決定されたテレビ番組のチャンネルのテレビ放送を前記デジタルチューナにより受信させて、前記複数番組表示手段により表示している前記複数番組画像に代えて、前記視聴番組決定操作により決定されたテレビ番組のハイビジョン画像を前記ディスプレイに表示する、
ことを特徴とする請求項１に記載のテレビジョン受像機。
【請求項３】
前記複数番組表示手段は、前記操作手段によりテレビ番組の視聴を開始するための視聴開始操作がなされると、前記複数番組画像を前記ディスプレイに表示する、
ことを特徴とする請求項２に記載のテレビジョン受像機。
【請求項４】
前記複数番組表示手段は、前記ハイビジョン表示手段によりテレビ番組のハイビジョン画像を前記ディスプレイに表示しているときに前記操作手段により前記複数番組画像を表示するための複数番組表示操作がなされると、前記ハイビジョン表示手段により表示しているテレビ番組のハイビジョン画像に代えて、前記複数番組画像を前記ディスプレイに表示する、
ことを特徴とする請求項３に記載のテレビジョン受像機。
【発明の詳細な説明】
【技術分野】
【０００１】
本発明は、放送局から配信されるテレビ放送信号を受信して、テレビ放送信号に基く画像、音声を再生するテレビジョン受像機に関するものである。
【背景技術】
【０００２】
従来から、テレビジョン受像機において、複数のチューナを設け、それら複数のチューナによりテレビ放送を受信して、複数のテレビ番組の画像を一括してディスプレイに表示できるようにしたものが知られている（例えば特許文献１乃至特許文献４参照）。このようなテレビジョン受像機では、複数のテレビ番組の画像が一括してディスプレイに表示されることにより、複数の異なるテレビ番組の内容を一度に視覚的に知ることができる。
【０００３】
また、１３セグチューナと１セグチューナとを設け、１３セグチューナによりテレビ放送を受信して、そのテレビ放送のテレビ番組の画像をディスプレイの主画面の領域に表示すると共に、１セグチューナによりテレビ放送を受信して、そのテレビ放送のテレビ番組の画像をディスプレイの副画面の領域に表示するようにしたテレビジョン受像機が知られている（例えば特許文献５参照）。
【特許文献１】特開２００６−２３７９５７号公報
【特許文献２】特開２００５−１６７７１２号公報
【特許文献３】特開２００３−１０１９００号公報
【特許文献４】特開２００２−７７７６４号公報
【特許文献５】特開２００６−１９６９３６号公報
【発明の開示】
【発明が解決しようとする課題】
【０００４】
ところで、テレビジョン受像機において、複数のチューナを設けて複数のテレビ番組の画像を一括してディスプレイに表示できるようにした場合、複数のチューナを設けることにより、テレビジョン受像機が大型化、高価格化してしまう。しかしながら、テレビジョン受像機は、小型かつ安価な構成のものが望まれる。このためには、複数のチューナを小型かつ安価な構成にすることが望ましい。
【０００５】
ところが、上述した特許文献１乃至特許文献４には、複数のチューナを小型かつ安価な構成にすることについては、何等開示されていない。従って、これら特許文献１乃至特許文献４に記載の構成を適用したとしても、上記の問題を解決することはできない。また、上述した特許文献５に開示の内容を適用したとしても、上記の問題を解決することはできない。
【０００６】
本発明は、上記課題を解決するためになされたものであり、複数のテレビ番組の画像を一括して表示できる機能を小型かつ安価な構成によって実現することができるテレビジョン受像機を提供することを目的とする。
【課題を解決するための手段】
【０００７】
上記目的を達成するために請求項１の発明は、放送局から配信される地上デジタルテレビ放送を受信して、地上デジタルテレビ放送に基く画像をディスプレイに表示すると共に、地上デジタルテレビ放送に基く音声をスピーカから出力するテレビジョン受像機において、地上デジタルテレビ放送を受信して、地上デジタルテレビ放送に基くテレビ番組のハイビジョン放送用の画像信号及び音声信号を生成するデジタルチューナと、地上デジタルテレビ放送を受信して、地上デジタルテレビ放送に基くテレビ番組のワンセグメント放送用の画像信号及び音声信号を生成する複数のワンセグチューナと、複数のワンセグチューナにより生成されたワンセグメント放送用の画像信号に基いて、複数の異なるテレビ番組のワンセグメント放送による画像を配列した複数番組画像をディスプレイに表示する複数番組表示手段と、デジタルチューナにより生成されたハイビジョン放送用の画像信号に基いて、テレビ番組のハイビジョン放送による画像であるハイビジョン画像をディスプレイに表示するハイビジョン表示手段と、を備えるものである。
【０００８】
請求項２の発明は、請求項１に記載のテレビジョン受像機において、本装置の動作を指示するためにユーザにより操作される操作手段と、複数のワンセグチューナにより生成されたワンセグメント放送用の音声信号に基いて、テレビ番組の音声をスピーカから出力する番組音声出力手段と、をさらに備え、複数番組表示手段は、複数番組画像のうちの１つの画像として、ディスプレイに表示されている複数のテレビ番組の中から所望のテレビ番組を選択させるために用いる番組選択画像を表示し、該番組選択画像をディスプレイに表示されている複数のテレビ番組の中のいずれの番組が選択されているかをユーザに判別可能な形態で表示し、音声出力手段は、複数番組表示手段により複数番組画像をディスプレイに表示しているとき、番組選択画像を用いて選択されているテレビ番組の音声をスピーカから出力し、ハイビジョン表示手段は、複数番組表示手段により複数番組画像をディスプレイに表示しているときに操作手段により視聴するテレビ番組を決定する視聴番組決定操作がなされると、視聴番組決定操作により決定されたテレビ番組のチャンネルのテレビ放送をデジタルチューナにより受信させて、複数番組表示手段により表示している複数番組画像に代えて、視聴番組決定操作により決定されたテレビ番組のハイビジョン画像をディスプレイに表示するものである。
【０００９】
請求項３の発明は、請求項２に記載のテレビジョン受像機において、複数番組表示手段は、操作手段によりテレビ番組の視聴を開始するための視聴開始操作がなされると、複数番組画像をディスプレイに表示するものである。
【００１０】
請求項４の発明は、請求項３に記載のテレビジョン受像機において、複数番組表示手段は、ハイビジョン表示手段によりテレビ番組のハイビジョン画像をディスプレイに表示しているときに操作手段により複数番組画像を表示するための複数番組表示操作がなされると、ハイビジョン表示手段により表示しているテレビ番組のハイビジョン画像に代えて、複数番組画像をディスプレイに表示するものである。
【発明の効果】
【００１１】
請求項１の発明によれば、複数番組表示手段によって表示される複数番組画像により、複数の異なるテレビ番組の画像が一括して表示される。従って、この複数番組画像により、複数の異なるテレビ番組の内容を一度に視覚的に知ることができ、所望のテレビ番組を容易に探し出すことができる。そして、ハイビジョン表示手段によって表示されるハイビジョン画像により、所望のテレビ番組を高画質画像で視聴することができる。しかも、複数のワンセグチューナにより複数のテレビ放送を受信して複数番組画像における複数のテレビ番組の画像を表示しており、ワンセグチューナは小型かつ安価であるため、複数のテレビ番組の画像を一括して表示できる機能を小型かつ安価な構成によって実現することができる。
【００１２】
請求項２の発明によれば、複数番組画像が表示されているとき、複数番組画像により表示されている複数のテレビ番組の中から、番組選択画像を用いて任意のテレビ番組を選択すると、番組選択画像を用いて選択されているテレビ番組の音声が出力される。従って、テレビ番組の内容を音声的にも知ることができ、所望のテレビ番組をより容易に探し出すことができる。しかも、視聴するテレビ番組を決定する視聴番組決定操作がなされると、複数番組画像に代えて、視聴番組決定操作により決定されたテレビ番組がハイビジョン画像で表示される。従って、簡単な操作によって、所望のテレビ番組をハイビジョン画像により視聴することができる。
【００１３】
請求項３の発明によれば、テレビ番組の視聴を開始するときに、自動的に複数番組画像が表示されるため、利便性が向上する。
【００１４】
請求項４の発明によれば、テレビ番組をハイビジョン画像により視聴しているときに、複数番組表示操作を行うことにより複数番組画像を表示することができ、利便性が向上する。
【発明を実施するための最良の形態】
【００１５】
以下、本発明を具体化した実施形態によるテレビジョン受像機について図面を参照して説明する。図１は、本実施形態によるテレビジョン受像機の構成を示す。テレビジョン受像機１は、放送局から配信されるテレビ放送信号を受信して、テレビ放送信号に基く画像を表示すると共に、テレビ放送信号に基く音声を出力する機器である。このテレビジョン受像機１は、複数のテレビ番組の画像を一括して表示できる機能を有している。
【００１６】
テレビジョン受像機１は、テレビジョン受像機１を制御するためのＣＰＵ等からなる制御部１１と、デジタルチューナ１２と、複数のワンセグチューナ１３ａ〜１３ｉと、画像処理部１４と、操作手段であるリモコン（リモートコントローラ）１５と、リモコン受信部１６と、ディスプレイ１７と、スピーカ１８等を備えている。
【００１７】
デジタルチューナ１２は、制御部１１による制御のもと、地上デジタルテレビ放送を受信し、その受信した信号を処理して、地上デジタルテレビ放送に基くテレビ番組のハイビジョン放送用の画像信号及び音声信号を生成する。ワンセグチューナ１３ａ〜１３ｉは、各々、制御部１１による制御のもと、地上デジタルテレビ放送を受信し、その受信した信号を処理して、地上デジタルテレビ放送に基くテレビ番組のワンセグメント放送用の画像信号及び音声信号を生成する。
【００１８】
画像処理部１４は、制御部１１による制御のもと、ワンセグチューナ１３ａ〜１３ｉにより生成された画像信号を処理して、複数のテレビ番組の画像を配列した複数番組画像をディスプレイ１７に表示するための画像信号を生成する。また、画像処理部１４は、制御部１１による制御のもと、各種画像をディスプレイ１７に表示するための画像信号を生成する。
【００１９】
リモコン１５は、テレビジョン受像機１の各種動作を指示するためにユーザにより操作されるものであり、後述する各種操作ボタンを備えており、各種操作ボタンが操作されることにより、その操作に対応付けられた赤外線コード信号を送出する。リモコン受信部１６は、リモコン１５から送出された赤外線コード信号を受光し、その受光した信号を電気信号に変換する。ディスプレイ１７は、制御部１１による制御のもと、画像信号が供給されることにより、その画像信号による画像を表示する。スピーカ１８は、制御部１１による制御のもと、音声信号が供給されることにより、その音声信号による音声を出力する。
【００２０】
制御部１１は、リモコン受信部１６により受信した信号を基にリモコン１５の操作内容を判断し、リモコン１５の操作に応じて、複数のテレビ番組の画像を配列した複数番組画像をディスプレイ１７に表示する複数番組表示動作、１つのテレビ番組の画像をディスプレイ１７に表示する単一番組表示動作等、テレビジョン受像機１の各種動作を制御する。
【００２１】
複数番組表示動作では、制御部１１は、複数の異なるテレビ番組のワンセグメント放送による画像を配列した複数番組画像をディスプレイ１７に表示する。また、単一番組表示動作では、制御部１１は、１つのテレビ番組のハイビジョン放送による画像であるハイビジョン画像をディスプレイ１７に表示する。
【００２２】
図２（ａ）は、上記複数番組画像の表示例を示し、図２（ｂ）は、上記ハイビジョン画像の表示例を示す。図２（ａ）に示すように、複数番組画像５０は、ディスプレイ１７の全体に表示される。複数番組画像５０は、複数のテレビ番組画像５１ａ〜５１ｉと、カーソル画像（番組選択画像）５２と、チャンネル表示画像５３ａ〜５３ｉとを含んでいる。テレビ番組画像５１ａ〜５１ｉは、各々、テレビ番組のワンセグメント放送による動画の画像であり、縦横に配列されて表示される。カーソル画像５２は、テレビ番組画像５１ａ〜５１ｉの中から所望のテレビ番組を選択するために用いられる画像であり、枠状をしており、テレビ番組画像５１ａ〜５１ｉのいずれが選択されているかをユーザに判別可能なように、リモコン１５の操作に応じて、テレビ番組画像５１ａ〜５１ｉのいずれかを囲うように表示される。チャンネル表示画像５３ａ〜５３ｉは、各々、テレビ番組画像５１ａ〜５１ｉのチャンネルを示しており、テレビ番組画像５１ａ〜５１ｉ上に重ねて表示される。また、図２（ｂ）に示すように、ハイビジョン画像６０は、ディスプレイ１７の全体に表示される。ハイビジョン画像６０は、テレビ番組のハイビジョン放送による動画の画像である。
【００２３】
制御部１１は、複数のワンセグチューナ１３ａ〜１３ｉにより生成されたワンセグメント放送用の画像信号に基いて、複数番組画像５０をディスプレイ１７に表示する。すなわち、制御部１１は、複数のワンセグチューナ１３ａ〜１３ｉにより異なるチャンネルの地上デジタルテレビ放送を受信させ、複数のワンセグチューナ１３ａ〜１３ｉにより生成された画像信号、受信チャンネルを示す信号、リモコン１５の操作を示す信号等を画像処理部１４に供給して、画像処理部１４により複数番組画像５０をディスプレイ１７に表示するための画像信号を生成させる。そして、制御部１１は、画像処理部１４により生成された複数番組画像５０をディスプレイ１７に表示するための画像信号をディスプレイ１７に供給する。これにより、複数番組画像５０がディスプレイ１７に表示される。制御部１１及び画像処理部１４により、複数番組表示手段が構成されている。
【００２４】
このとき（複数番組画像５０をディスプレイ１７に表示しているとき）、制御部１１は、ワンセグチューナ１３ａ〜１３ｉにより生成された音声信号に基いて、複数番組画像５０においてカーソル画像５２により選択されているテレビ番組の音声をスピーカ１８から出力する。すなわち、制御部１１は、ワンセグチューナ１３ａ〜１３ｉにより生成された音声信号のうち、カーソル画像５２により選択されているテレビ番組の音声信号をスピーカ１８に供給する。これにより、カーソル画像５２により選択されているテレビ番組の音声がスピーカ１８から出力される。制御部１１により、番組音声出力手段が構成されている。
【００２５】
また、制御部１１は、デジタルチューナ１２により生成されたハイビジョン放送用の画像信号に基いて、ハイビジョン画像６０をディスプレイ１７に表示する。すなわち、制御部１１は、デジタルチューナ１２により所定のチャンネルの地上デジタルテレビ放送を受信させ、デジタルチューナ１２により生成された画像信号をディスプレイ１７に供給する。これにより、ハイビジョン画像６０がディスプレイ１７に表示される。制御部１１により、ハイビジョン表示手段が構成されている。
【００２６】
このとき（ハイビジョン画像６０をディスプレイ１７に表示しているとき）、制御部１１は、デジタルチューナ１２により生成された音声信号に基いて、ディスプレイ１７に表示されているテレビ番組の音声をスピーカ１８から出力する。すなわち、制御部１１は、デジタルチューナ１２により生成された音声信号をスピーカ１８に供給する。これにより、ディスプレイ１７に表示されているテレビ番組の音声がスピーカ１８から出力される。
【００２７】
図３は、上記リモコン１５の構成を示す。リモコン１５は、テレビジョン受像機１の各種動作を指示するためにユーザに操作される操作ボタンとして、テレビボタン２１、複数番組ボタン２２、数字ボタン２３、カーソルボタン２４ａ〜２４ｄ、及び決定ボタン２５等を備え、また、これらの操作ボタンの操作に応じて赤外線コード信号を送出する投光部２６を備えている。
【００２８】
テレビボタン２１は、テレビ番組の視聴を開始する等のために操作されるボタンである。複数番組ボタン２２は、複数番組画像５０をディスプレイ１７に表示する等のために操作されるボタンである。数字ボタン２３は、数値を選択するためのボタンであり、テレビ放送の受信チャンネルを選局したり、複数番組画像５０により表示されているテレビ番組の中から所望のテレビ番組を選択、決定する等のために操作されるボタンである。カーソルボタン２４ａ〜２４ｄは、複数番組画像５０のカーソル画像５２を移動させて、複数番組画像５０により表示されているテレビ番組の中から所望のテレビ番組を選択する等のために操作されるボタンであり、決定ボタン２５は、複数番組画像５０のカーソル画像５２によるテレビ番組の選択を決定する等のために操作されるボタンである。リモコン１５は、これらの操作ボタンの操作に応じて、その操作に対応付けられた赤外線コード信号を投光部２６から送出する。
【００２９】
図４、図５は、上記テレビジョン受像機１の動作フローチャートを示す。まず、リモコン１５により、テレビ番組の視聴を開始するための視聴開始操作がなされると（＃１でＹＥＳ）、制御部１１は、複数のワンセグチューナ１３ａ〜１３ｉで異なるチャンネルの地上デジタルテレビ放送を受信させて（＃２）、複数のワンセグチューナ１３ａ〜１３ｉで受信したテレビ放送のテレビ番組の画像を配列した複数番組画像５０をディスプレイ１７に表示する（＃３）。視聴開始操作は、リモコン１５のテレビボタン２１を押下操作することにより行われる。
【００３０】
このとき、制御部１１は、複数番組画像５０のテレビ番組画像５１ａ〜５１ｉのうち、前回視聴終了時にデジタルチューナ１２で受信していたチャンネルのテレビ番組の画像を囲うようにカーソル画像５２を表示すると共に（＃４）、カーソル画像５２で選択されている（すなわちカーソル画像５２で囲まれている）テレビ番組の音声をスピーカ１８から出力する（＃５）。
【００３１】
ここで、リモコン１５により所望のテレビ番組を選択する番組選択操作がなされると（＃６でＹＥＳ）、制御部１１は、選択されたテレビ番組の画像を囲うようにカーソル画像５２を移動させ（＃７）、カーソル画像５２により選択されているテレビ番組の音声をスピーカ１８から出力する（＃８）。番組選択操作は、リモコン１５のカーソルボタン２４ａ〜２４ｄを押下操作することにより行われ、制御部１１は、カーソルボタン２４ａ〜２４ｄの押下操作に応じて、カーソル画像５２を移動させる。
【００３２】
そして、リモコン１５によりハイビジョン画像６０で視聴するテレビ番組を決定する視聴番組決定操作がなされると（＃９でＹＥＳ）、制御部１１は、視聴番組決定操作により決定されたテレビ番組のチャンネルのテレビ放送をデジタルチューナ１２で受信させて（＃１０）、複数番組画像５０に代えて、デジタルチューナ１２で受信したテレビ放送のテレビ番組（すなわち視聴番組決定操作により決定されたテレビ番組）のハイビジョン画像６０をディスプレイ１７に表示し（＃１１）、デジタルチューナ１２で受信したテレビ放送のテレビ番組の音声をスピーカ１８から出力する（＃１２）。視聴番組決定操作は、リモコン１５の決定ボタン２５を押下操作することにより、又は、リモコン１５の数字ボタン２３を押下操作することにより行われ、制御部１１は、決定ボタン２５が押下操作された場合には、そのときにカーソル画像５２により選択されていたテレビ番組を決定されたテレビ番組とし、また、数字ボタン２３が押下操作された場合には、その操作により入力された数字に対応するチャンネルのテレビ番組を決定されたテレビ番組とする。
【００３３】
テレビ番組のハイビジョン画像６０をディスプレイ１７に表示しているときに、リモコン１５によりチャンネル選局操作がなされると（＃１３でＹＥＳ）、制御部１１は、選局されたチャンネルの地上デジタルテレビ放送をデジタルチューナ１２で受信させて（＃１４）、デジタルチューナ１２で受信したテレビ放送のテレビ番組（すなわちチャンネル選局操作により選局されたチャンネルのテレビ番組）のハイビジョン画像６０をディスプレイ１７に表示し（＃１５）、デジタルチューナ１２で受信したテレビ放送のテレビ番組の音声をスピーカ１８から出力する（＃１６）。チャンネル選局操作は、リモコン１５の数字ボタン２３を押下操作することにより行われる。
【００３４】
また、テレビ番組のハイビジョン画像６０をディスプレイ１７に表示しているときに、リモコン１５により複数番組画像５０を表示するための複数番組表示操作がなされると（＃１７でＹＥＳ）、制御部１１は、複数のワンセグチューナ１３ａ〜１３ｉで異なるチャンネルの地上デジタルテレビ放送を受信させて（＃１８）、テレビ番組のハイビジョン画像６０に代えて、複数番組画像５０をディスプレイ１７に表示する（＃１９）。複数番組表示操作は、リモコン１５の複数番組ボタン２２を押下操作することにより行われる。
【００３５】
このとき、制御部１１は、複数番組画像５０のテレビ番組画像５１ａ〜５１ｉのうち、複数番組画像５０の表示前にデジタルチューナ１２で受信していたチャンネルのテレビ番組の画像を囲うようにカーソル画像５２を表示すると共に（＃２０）、カーソル画像５２で選択されているテレビ番組の音声をスピーカ１８から出力し（＃２１）、上記＃６以降の処理を繰り返す。
【００３６】
そして、リモコン１５によりテレビ番組の視聴を終了する視聴終了操作がなされると（＃２２でＹＥＳ）、制御部１１は、テレビ番組のハイビジョン画像６０の表示を終了すると共に、テレビ番組の音声の出力を終了する（＃２３）。視聴終了操作は、テレビ番組のハイビジョン画像６０をディスプレイ１７に表示しているときに、リモコン１５のテレビボタン２１を押下操作することにより行われる。＃２２において視聴終了操作がなされるまで、制御部１１は、上記＃１３以降の処理を繰り返す。
【００３７】
このような構成のテレビジョン受像機１によれば、複数番組画像５０により、複数の異なるテレビ番組の画像（テレビ番組画像５１ａ〜５１ｉ）が一括して表示される。従って、この複数番組画像５０により、複数の異なるテレビ番組の内容を一度に視覚的に知ることができ、所望のテレビ番組を容易に探し出すことができる。そして、所望のテレビ番組をハイビジョン画像６０により高画質画像で視聴することができる。しかも、複数のワンセグチューナ１３ａ〜１３ｉにより複数のテレビ放送を受信して複数番組画像５０における複数のテレビ番組画像５１ａ〜５１ｉを表示しており、ワンセグチューナ１３ａ〜１３ｉは小型かつ安価であるため、複数のテレビ番組の画像を一括して表示できる機能を小型かつ安価な構成によって実現することができる。
【００３８】
また、複数番組画像５０が表示されているとき、複数番組画像５０により表示されている複数のテレビ番組の中から、カーソル画像５２により任意のテレビ番組を選択すると、カーソル画像５２により選択されているテレビ番組の音声が出力される。従って、テレビ番組の内容を音声的にも知ることができ、所望のテレビ番組をより容易に探し出すことができる。しかも、視聴するテレビ番組を決定する視聴番組決定操作がなされると、複数番組画像５０に代えて、視聴番組決定操作により決定されたテレビ番組がハイビジョン画像６０で表示される。従って、簡単な操作によって、所望のテレビ番組をハイビジョン画像６０により視聴することができる。
【００３９】
しかも、テレビ番組の視聴を開始するときに、自動的に複数番組画像５０が表示されるため、利便性が向上する。さらに、テレビ番組をハイビジョン画像６０により視聴しているときに、複数番組表示操作を行うことにより複数番組画像５０を表示することができ、利便性が向上する。
【００４０】
なお、本発明は、上記実施形態の構成に限られず、種々の変形が可能である。例えば、複数番組画像を表示しているときにリモコンの数字ボタンが押下操作された場合には、複数番組画像のカーソル画像を、その操作により入力された数字に対応するチャンネルの複数番組画像上のテレビ番組画像を囲うように移動させて、カーソル画像で選択されているテレビ番組の音声を出力するようにしてもよい。また、テレビジョン受像機は、ディスプレイ及びスピーカを備えておらず、外部接続されるディスプレイ及びスピーカに画像信号及び音声信号を出力するＳＴＢ（セットトップボックス）タイプのものであってもよい。
【図面の簡単な説明】
【００４１】
【図１】本発明の一実施形態に係るテレビジョン受像機の概略構成を示す電気的ブロック構成図。
【図２】（ａ）は同テレビジョン受像機の複数番組画像の表示例を示す図、（ｂ）は同テレビジョン受像機のハイビジョン画像の表示例を示す図。
【図３】同テレビジョン受像機のリモコンの構成を示す平面図。
【図４】同テレビジョン受像機の動作を示すフローチャート。
【図５】同テレビジョン受像機の動作を示すフローチャート。
【符号の説明】
【００４２】
１    テレビジョン受像機
１１    制御部
１２    デジタルチューナ
１３ａ〜１３ｉ    ワンセグチューナ
１４    画像処理部
１５    リモコン（操作手段）
１６    リモコン受信部
１７    ディスプレイ
１８    スピーカ
２１    テレビボタン
２２    番組ボタン
２３    数字ボタン
２４ａ〜２４ｄ    カーソルボタン
２５    決定ボタン
２６    投光部
【図１】
2008294912.tif 000003
【図２】
2008294912.tif 000004
【図３】
2008294912.tif 000005
【図４】
2008294912.tif 000006
【図５】
2008294912.tif 000007